(57)【要約】【課題】安全な飾りのファスナーの設計を提供することにある。【解決手段】細長い形状の飾り本体１、複数のロックプレート２、スリーブ帯３など要素から構成される。スリーブ帯３は細長い形状の飾り本体１に対応する形状である。各ロックプレート２はそれぞれ細長い形状の飾り本体１の両端にセットされる。スリーブ帯３は細長い形状の飾り本体１の底面にマッチするように貼り付けられる。異なるニーズに応じて、丁字のズボン、ブラジャー、肩帯などオプション用品に合わせて使用でき、装飾りの効果を表現できる。スリーブ帯３により、肌、皮膚と細長い形状の飾り本体１との接触を阻隔するので、肌、皮膚の傷害を防ぐ。【選択図】　　　図１
0003097703.tif 000002
【実用新案登録請求の範囲】
【請求項１】
所定の細長い形状の飾り本体、複数のロックプレート、スリーブ帯を備える飾りのファスナーにおいて、
前記飾り本体は、所定の形状を有し、嵌めこみ飾りものから自由に構成され、前記複数のロックプレートは、それぞれ細長い形状の飾り本体の頭端、尾端にセットされ、両端にそれぞれインナーフック、アウターフックを有し、中間部が細長い形状の飾り本体の頭端、尾端にセット、結合され、
前記スリーブ帯は、人体の肌、皮膚を傷害しない材質から作られ、細長い形状の飾り本体にマッチ、対応する形状であり、その頭端、尾端に、環状孔を有し、それぞれロックプレートのインナーフックに掛けて結ばれ、細長い形状の飾り本体の底面に掛けて支持され、
使用のニーズに応じて、丁字のズボン、ブラジャー、肩帯など女性の身につけるオプション用品に係止して使用可能であり、肌、皮膚と細長い形状の飾り本体との接触を阻隔することにより、美しく飾り、安全の効果を兼備することを特徴とする飾りのファスナー。
【請求項２】
細長い形状の飾り本体とスリーブ帯とは対応する同一形状のＹ形であることを特徴とする請求項１記載の飾りのファスナー。
【請求項３】
細長い形状の飾り本体とスリーブ帯とは対応する一字形であることを特徴とする請求項１記載の飾りのファスナー。
【請求項４】
透明の肩帯に結合可能であり、所定の一段の肩帯を８字形のロックプレートのいずれかの孔を貫通したあとで、別の孔を貫通させ、肩帯の貫通端は調整の環状孔を形成することにより、それぞれ調整の環状孔及び末端孔をリンクし、結合することを特徴とする請求項１記載の飾りのファスナー。
【請求項５】
ロックプレートはＳ形であることを特徴とする請求項１記載の飾りのファスナー。
【請求項６】
ロックプレートの中間部に、下凹階級面、突出階級面を有し、細長い形状の飾り本体の頭端、尾端を下凹階級面にセット可能であり、細長い形状の飾り本体の嵌めこみ飾り物が突出階級面と揃っていることを特徴とする請求項１記載の飾りのファスナー。
【考案の詳細な説明】
【０００１】
【考案の属する技術分野】
本考案は飾りのファスナーに関するものであり、主に、Ｙ形、一の字形又はほかの所定の形状の細長い形状の飾り本体、複数のロックプレート、細長い形状の飾り本体とマッチした形状のスリーブ帯など要素から構成される。飾りのファスナーは特に丁字のズボン、ブラジャー、肩の帯など女性の身につけるオプション用品に合わせて使用できる。飾りのファスナーがオプション用品に付くと、新鋭かつ独特な美感を表現することができる。
【０００２】
【従来の技術】
従来から、女性のブラジャーや肩帯や丁字のズボンは趨勢により、使用が相当に突破、変革される。例えば、着ものとしては度々、局部の外露や肌着を外部に着けるということを新しい訴求とする。そのために、ブラジャーは常に、肩の帯無し、又はＴＰＵ材質（熱可塑性ポリアミノの樹脂）の透明肩帯を採用する。そんな透明の肩帯は透明で、顕著性がないので、色彩華麗、多様化又は様々な飾りボタンなど多様性の組合わせを採用することにより、美化を求める。その他、直接に、ファスナーを肩帯へ作り、ファスナーに金、銀、宝石を嵌め込んで、美化、飾りの効果を達成する。
【０００３】
【考案が解決しようとする課題】
上述のファスナータイプの肩帯は華麗な色で、目を奪うが、自身の材質（よく見えるのは金、銀、又は他の金属など）のせいで、長い時間、人体の肌、皮膚と直接に接触できない。長い時間身に付けると、いつも肌、皮膚を侵蝕、傷害させ、使用の安全性がなかった。
そこで、本考案の目的は、安全な飾りのファスナーを提供することにある。
【０００４】
【課題を解決するための手段】
主に、細長い形状の飾り本体、複数のロックプレート、スリーブ帯など要素から構成される。スリーブ帯は細長い形状のの飾り本体とマッチして対応する形状である。各ロックプレートはそれぞれ細長い状の飾り本体の頭、尾端にセットされる。スリーブ帯は細長い状の飾り本体の底面にマッチするように貼り付けられる。そうすると、異なるニーズに応じて、丁字のズボン、ブラジャー、肩帯などオプション用品に合わせて使用でき、飾りの効果を表現できるほか、スリーブ帯で、肌、皮膚と細長い状の飾り本体との接触を阻隔するので、肌、皮膚の侵蝕、傷害を防ぐ。
【０００５】
【考案の実施の形態】
本考案の目的、特徴および効果などを理解するために、以下、具体的な実施例に図面をあわせて詳しく説明する。
まずは図１から図４を御覧下さい。本考案の実施例の飾りのファスナーの設計により、組成は選定の形状の細長い形状の飾り本体１、複数のロックプレート２、スリーブ帯３など要素から形成される。
細長い形状の飾り本体１は選定の形状を具有する。（図示の実施例はＹ形、一字形などを採用する。）それは嵌めこみ飾りものから自由に構成される。図面の実施例に示した細長い形状の飾り本体１は金、銀、宝石を嵌めるように組成される。しかしながら、嵌めこみ飾りものは図示の実施形態に限定されない。
【０００６】
複数のロックプレート２はそれぞれ細長い状の飾り本体１の頭、尾端にセットされる。ロックプレート２はほぼＳ形となり、両端がそれぞれインナーフック、アウターフック２１、２２を持つ。中間部２３は細長い状の飾り本体１の頭、尾端にセット、結合される。（溶接、粘着、又は錠止名と方法で）。また、中間部２３に、下凹階級面２３１があるので、細長い状の飾り本体１の頭、尾端を下凹階級面２３１にセットすることができる。細長い状の飾り本体１の嵌めこみ飾り物をもう一つの突出階級面２３２と揃っている。
【０００７】
スリーブ帯３は上述の細長い形状の飾り本体１にマッチ、対応する形状である。人体の肌、皮膚を傷害しない材質、例えば、従来から既存の透明肩帯との同じＴＰＵ材質（熱可塑性ポリアミノの樹脂）等から作られる。その頭、尾端に、環状孔３１、３２を有するので、それぞれロックプレート２のインナーフック２１に掛けて結ぶ。よって、スリーブ帯３は細長い形状の飾り本体１の底面に掛けて支持される。
【０００８】
上述のコンポネットから構成した飾りのファスナーは使用のニーズに応じて、丁字のズボン、ブラジャー、肩帯など女性の身につけるオプション用品にかけて使用できる。飾りのファスナーがオプション用品に付くと、飾りの効果を表現することができる。また、スリーブ帯３で、肌、皮膚と細長い状の飾り本体１との接触を阻隔する目的を遂げるので、肌、皮膚の侵蝕、傷害を防ぐと同時に、美しく飾り、安全の効果を兼備する。
【０００９】
前述の図１−図４の実施例は、本考案のＹ形の細長い形状の飾り本体１の組合わせ形態及び応用を掲示する。Ｙ形の細長い状の飾り本体１の頭、尾端に、それぞれロックプレート２をセットする。同一配合のＹ形スリーブ帯３も採用される。Ｙ形スリーブ帯３の頭、尾端に、それぞれ環状孔３１、３２があるので、ロックプレート２のインナーフック２１に掛けられ、スリーブ帯３を細長い状の飾り本体１の底面にセットさせ、Ｙ形の飾りのファスナーを組成する。Ｙ形の飾りのファスナーは図２のように、丁字ズボンの細い帯９に連結、結合してもよく、図３のように、Ｙ形で、肩帯４とブラジャー６との間に結合してもよく、図４のように、Ｙ形飾りのファスナーの二つ分枝端を同時にブラジャー６の単一ロック部６１に連結、結合してもよい。
【００１０】
図６から図１０のほかの実施例を御覧下さい。本考案の一字形の細長い状の飾り本体１ａの組合わせ形態及び応用を掲示する。一字形の細長い状の飾り本体１ａの頭、尾端に、それぞれロックプレート２ａをセットする。同一配合のＹ形スリーブ帯３ａも採用される。ロックプレート２ａはＳ形となり、両端に、それぞれインナーフック、アウターフック２１ａ、２２ａがある。中間部２３ａは細長い状の飾り本体１ａの頭、尾端にセット、結合される。一字形スリーブ帯３ａの頭、尾端に、それぞれ環状孔３１ａ、３２ａがあるので、ロックプレート２ａのインナーフック２１ａに掛けられ、スリーブ帯３ａを細長い状の飾り本体１ａの底面にセットさせ、一字形の飾りのファスナーを組成する。一字形の飾りのファスナーは図７のように、８字形のロック　プレート５（あとで詳しく述べる）に合わせて、透明肩帯４に付けて結合してもよいし、図９のように、一字形ブリッジ接続で、ブラジャー６の二つカップの間に飾りものとして結合してもよい。しかし、上述の様々な組合わせは本考案のブラジャー応用案例の説明だけであり、ブラジャー又は肩帯に応用することに限定しない。
【００１１】
図１０に示すのは本考案の実施例により、一字形の飾りのファスナーが細長い状の飾り本体１ａの底面にスリーブ帯３ａを敷くので、細長い状の飾り本体１ａと人体の肌、皮膚７を隔離させ、直接に肌、皮膚を接触、傷害せず、著しい特定の効果に役立つ。
図１１から図１３を御覧下さい。本考案の一実施例として８字形のロックプレート５を合わせることにより、飾りのファスナーと肩帯４との結合しているうちに、優れた配合、調整の効果が得られる。使用の場合に、主に、選定の一段の肩帯４を８字形のロックプレート５のいずれ孔を貫通したあとで（図１３を参照）、別の孔を貫通する。（図１３を参照）。肩帯４の貫通端はおりよく調整の環状孔４１を形成する。つまり、本実施例の飾りファスナーはそれぞれ調整の環状孔４１及び末端孔４２をリンクして、巧妙な結合となる。
【００１２】
しかしながら、前掲の実施例は本考案の説明だけで、本案の技術範囲を限定しない。類似の応用、技術手段で、簡単に、いずれの改善、変更しても、本考案の請求範囲に含まれる。実際に応用する場合に、上述の丁字ズボン、ブラジャー、肩帯に制限しない。図１４、図１５に示すように、本考案の実施例の飾りファスナーを外露タイプの身につけ着物に結んでも、飾りの効果も表現できる。
【００１３】
本実施例の主な目的は飾りのファスナーの設計を提供することにある。選定形状の飾り本体、複数のロックプレート、飾り本体とマッチした形状のスリーブ帯など要素から構成される。飾り本体は嵌めこみ飾りものから自由に構成され、その頭、尾端にそれぞれロックプレートをセットする。ロックプレートの両端に、インナーフック、アウターフックを掛ける。インナーフックとスリーブ帯との錠止により、スリーブ帯は細長い状の飾り本体の底面に貼り付けられる。そうすると、異なるニーズに応じて、　女性のオプション用品に合わせて使用でき、飾りの効果を表現できる以外、特にスリーブ帯で、人体の肌、皮膚と細長い状の飾り本体との接触を阻隔するので、肌、皮膚の侵蝕、傷害を防止し、美化、飾り、使用の安全性を兼備するという目的を遂げる。
【００１４】
本実施例のもう一つの目的は飾りのファスナーの設計を提供することにある。細長い状の飾り本体はＹ形、一の字形又はほかの選定の形状を採用しても良いし、丁字のズボン、ブラジャー、肩帯など女性の身につけるオプション用品に合わせて使用できる。その適用な範囲は広くて制限がない。
本実施例のもう一つの目的は飾りのファスナーの設計を提供することにある。スリーブ帯は直接に肩帯の形態を実施してもよい。また、８字形のロックプレートに貫通して、結合する。スリーブ帯（肩帯）と８字形のロックプレートを貫通して結ぶと、調整の環状孔が形成される。よって、細長い形状の飾り本体とスリーブ帯（肩帯）の結合が配合、調整の効果を持ち、利便に、　細長い形状の飾り本体をスリーブ帯（肩帯）に掛けて、結合する。
【図面の簡単な説明】
【図１】本考案の実施例によるＹ形の飾りのファスナーを示す概要図である。
【図２】本考案の実施例によるＹ形の飾りのファスナーを丁字ズボンに連結する状態を示す概要図である。
【図３】本考案の実施例によるＹ形の飾りのファスナーを肩帯とブラジャーの間に連結する状態を示す概要図である。
【図４】本考案の実施例によるＹ形の飾りのファスナーをブラジャーの単一ロック部に連結する状態を示す概要図である。
【図５】本考案の実施例による一字形の飾りのファスナーを示す斜視図である。
【図６】本考案の実施例による一字形の飾りのファスナーを示す概要図である。
【図７】本考案の実施例による飾りのファスナーの構造をブリッジコンネクターのように、肩帯とブラジャーの二つカップの間に連結する状態を示す概要図である。
【図８】本考案の実施例による飾りのファスナーにおいて、８字形のロックプレートに合わせて、肩帯に使用する状態を示す概要図である。
【図９】本考案の実施例による一字形の飾りのファスナーをブリッジコンネクターのように、肩帯とブラジャーの二つカップの間に連結する状態を示す概要図である。
【図１０】本考案の実施例による一字形の飾りのファスナーを示す断面図である。
【図１１】本考案の実施例による飾りのファスナーにおいて、スリーブ帯を８字形のロックプレートに合わせて、肩帯に貫通して組合わせる連続の動作を示す概要図である。
【図１２】本考案の実施例による飾りのファスナーにおいて、スリーブ帯を８字形のロックプレートに合わせて、肩帯に貫通して組合わせる連続の動作を示す概要図である。
【図１３】本考案の実施例による飾りのファスナーにおいて、スリーブ帯を８字形のロックプレートに合わせて、肩帯に貫通して組合わせる連続の動作を示す概要図である。
【図１４】本考案の実施例による一字形の飾りのファスナーを外露タイプの身に付け着物にロックする状態を示す拡大図である。
【図１５】本考案の実施例による一字形の飾りのファスナーを外露タイプの身に付け着物に応用する状態を示す概要図である。
【符号の説明】
１、１ａ　　細長い形状の飾り本体
２、２ａ　　ロックプレート
３、３ａ　　スリーブ帯
２１、２１ａ　　インナーフック
２２、２２ａ　　アウターフック
２３、２３ａ　　中間部
２３１　　下凹階級面
２３２　　突出階級面
３１、３２、３１ａ　　環状孔
４　　肩帯
５　　８字形のロックプレート　　　６　　ブラジャー
６１　　ロック部
７　　人体の肌　　４１　　調整環状孔
４２　　末端環状孔
８　　身に付け着物
９　　細長い帯
【図１】
0003097703.tif 000003
【図２】
0003097703.tif 000004
【図３】
0003097703.tif 000005
【図４】
0003097703.tif 000006
【図５】
0003097703.tif 000007
【図６】
0003097703.tif 000008
【図７】
0003097703.tif 000009
【図８】
0003097703.tif 000010
【図９】
0003097703.tif 000011
【図１０】
0003097703.tif 000012
【図１１】
0003097703.tif 000013
【図１２】
0003097703.tif 000014
【図１３】
0003097703.tif 000015
【図１４】
0003097703.tif 000016
【図１５】
0003097703.tif 000017